(57)【要約】【課題】取り付けられるボードの上端部と床板の下面との間に隙間が生じるのを抑制することができるボード取付金物およびボード取付構造を提供する。【解決手段】ボード取付金物１は、ボード３が取り付けられる下地となる本体部１１と、上記本体部１１の下側に位置し、建物の躯体であるＨ形鋼梁２の下側の水平部（下フランジ部２２）を挟み込む下側装着部１３と、上記本体部１１の上側に位置し、建物の躯体Ｈ形鋼梁２の横側に取り付けられた床板支持部材としてのＬアングル５を挟み込む上側装着部１２と、を備えており、上記本体部１１は上側ほど上記Ｈ形鋼梁２から遠ざかるように傾斜形成されている。【選択図】図３
2019065510.tif 000002
【特許請求の範囲】
【請求項１】
ボードが取り付けられる下地となる本体部と、上記本体部の下側に位置し、建物の躯体の下側の水平部に装着される下側装着部と、上記本体部の上側に位置し、床板を支持するように建物の躯体の横側に取り付けられた床板支持部材に装着される上側装着部と、を備えており、上記本体部は上側ほど上記躯体から遠ざかるように傾斜形成されていることを特徴とするボード取付金物。
【請求項２】
請求項１に記載のボード取付金物において、上記本体部の傾斜は、当該本体部のボード取付面の上側延長面が上記床板支持部材に当たらない方向に設定されていることを特徴とするボード取付金物。
【請求項３】
請求項１または請求項２に記載のボード取付金物において、上記下側装着部と上記本体部の下部との間に略水平に突出する下側繋ぎ部が存在しており、この下側繋ぎ部が、当該下側繋ぎ部の下側に配置される下側配置ボードの表面よりも突き出ることを特徴とするボード取付金物。
【請求項４】
請求項１〜請求項３のいずれか１項に記載のボード取付金物における上記下側装着部が建物の躯体の下側の水平部に装着されており、上記上側装着部が建物の躯体の横側に取り付けられた床板支持部材に装着されており、上記ボード取付金物の本体部の傾斜に沿って取り付けられたボードの上端が床板の下面に接していることを特徴とするボード取付構造。
【請求項５】
請求項４に記載のボード取付構造において、上記床板と上記躯体の下側に存在する界壁の不燃部との間が上記ボードによって塞がれていることを特徴とするボード取付構造。
【請求項６】
請求項４または請求項５に記載のボード取付構造において、上記床板を留め付ける留め具の箇所で上記ボードが切り欠かれていることを特徴とするボード取付構造。
【発明の詳細な説明】
【技術分野】
【０００１】
この発明は、建物の躯体にボードを取り付けるための下地とすることができるボード取付金物およびこのボード取付金物を用いたボード取付構造に関する。
【背景技術】
【０００２】
特許文献１には、建物躯体を構成する部材に凹部が形成されていない場合でも、上記部材にしっかりと固定することができるボード取付金物が開示されている。特に、図４に示しているように、ボード取付金物６００における上側装着部６０１の挟持差し込み方向が、Ｈ形鋼梁６０２側に固定されたＬアングル６０３の鉛直部を挟持できるように鉛直の上向きとされたものが開示されている。
【先行技術文献】
【特許文献】
【０００３】
【特許文献１】特開２０１５−１８３４９７号公報
【発明の概要】
【発明が解決しようとする課題】
【０００４】
しかしながら、上記従来のボード取付金物６００を用いると、ボード６０５の上端がＬアングル６０３の水平部の下に位置するため、上記ボード６０５の上端と上記Ｌアングル６０３の水平部上に設けられるＡＬＣ床板６０６の下面との間に隙間Ｇが生じる。なお、上記ボード取付金物６００の上側水平部および下側水平部の長さを共に長くすることで、上記ボード６０５の上端を上記ＡＬＣ床板６０６の下面に接するようにできるが、これでは、上側水平部および下側水平部の長さを共に長くするために材料費が増加してコスト増が生じる。
【０００５】
この発明は、上記の事情に鑑み、取り付けられるボードの上端と床板の下面との間に隙間が生じるのを抑制することができるボード取付金物およびボード取付構造を提供することを課題とする。
【課題を解決するための手段】
【０００６】
この発明のボード取付金物は、上記の課題を解決するために、ボードが取り付けられる下地となる本体部と、上記本体部の下側に位置し、建物の躯体の下側の水平部に装着される下側装着部と、上記本体部の上側に位置し、床板を支持するように建物の躯体の横側に取り付けられた床板支持部材に装着される上側装着部と、を備えており、上記本体部は上側ほど上記躯体から遠ざかるように傾斜形成されていることを特徴とする。
【０００７】
上記の構成であれば、上記本体部は上側ほど上記躯体から遠ざかるように傾斜形成されているので、上記本体部に沿って斜めに取り付けられるボードの上側ほど上記躯体から離間することになり、上記ボードの上端は、上記躯体の横側に位置する上記床板支持部材を避けることが容易になる。なお、上記本体部の上側延長面に上記床板支持部材が位置しており、上記本体部に貼り付ける１枚目のボードが上記床板支持部材に当たるとしても、この１枚目のボードに重ねて貼られる２枚目のボードの上端部を、上記床板支持部材に当てずに床板の下面に当てることができる。すなわち、上記ボードの上端と上記床板支持部材で支持される床板の下面との間に隙間が生じるのを抑制することができる。
【０００８】
上記本体部の傾斜は、当該本体部のボード取付面の上側延長面が上記床板支持部材に当たらない方向に設定されていてもよい。これによれば、上記本体部に貼り付ける１枚目のボードについても上記床板支持部材に当たらないようにできる。
【０００９】
上記下側装着部と上記本体部の下部との間に略水平に突出する下側繋ぎ部が存在しており、この下側繋ぎ部が、当該下側繋ぎ部の下側に配置される下側配置ボードの表面よりも突き出るようにしてもよい。これによれば、上記本体部に沿って斜めに取り付けられるボードの下端が上記本体部の下端から下方に出た状態で上記下側配置ボードの表面に接することになるので、当該下側配置ボードの上端と上記下側繋ぎ部との境界部が上記斜め配置のボードの下端側で塞がれることになる。
【００１０】
また、この発明のボード取付構造は、上記ボード取付金物における上記下側装着部が建物の躯体の下側の水平部に装着されており、上記上側装着部が建物の躯体の横側に取り付けられた床板支持部材に装着されており、上記ボード取付金物の本体部の傾斜に沿って取り付けられたボードの上端が床板の下面に接していることを特徴とする。これによれば、上記ボードの上端部と上記床板支持部材で支持される床板の下面との間に隙間が生じるのを抑制することができる。
【００１１】
上記ボード取付構造において、上記床板と上記躯体の下側に存在する界壁の不燃部との間が上記ボードによって塞がれていてもよい。
【００１２】
また、上記床板を留め付ける留め具の箇所で上記ボードが切り欠かれていてもよい。
【発明の効果】
【００１３】
本発明であれば、建物の躯体側に装着したボード取付金物にボードを取り付けることにおいて、上記ボードの上端と上記床板支持部材で支持される床板の下面との間に隙間が生じるのを抑制することができるので、例えば、建物の防耐火性をより向上できるという効果を奏する。
【図面の簡単な説明】
【００１４】
【図１】実施形態にかかるボード取付金物の概略を示した正面図、底面図および側面図である。
【図２】図１のボード取付金物の概略を示した斜視図である。
【図３】図１のボード取付金物を用いたボード取付構造の概略を示した説明図である。
【図４】従来のボード取付金物を用いたボード取付構造の概略を示した説明図である。
【発明を実施するための形態】
【００１５】
以下、この発明の一態様に係る実施形態を添付図面に基づいて説明する。
図１、図２および図３に示すように、ボード取付金物１は、本体部１１と、上記本体部１１の上側に位置し、建物の躯体であるＨ形鋼梁２の横側に取り付けられた床板支持部材であるＬアングル５に装着される上側装着部１２と、上記本体部１１の下側に位置し、上記Ｈ形鋼梁２の下側の水平部である下フランジ部２２に装着される下側装着部１３とを備えている。
【００１６】
このように、上記ボード取付金物１は、上記Ｈ形鋼梁２の上フランジ部２１に横面部に、床板（軽量発泡コンクリート（ＡＬＣ）等）６を支持するように上記Ｌアングル５が設けられる建物構造において好適に利用できるようになっている。例えば、上記Ｈ形鋼梁２の上フランジ部２１と下フランジ部２２との間には、接合板２０１が水平方向に間隔をおいて点在配置で溶接固定されており、この接合板２０１に上記Ｌアングル５が締結具（ボルトとナット等）５１によって固定されている。上記Ｌアングル５の水平部の上面は上フランジ部２１の上面と面一にされている。また、上記本体部１１のボード取付面は、上記上フランジ部２１および下フランジ部２２の横面よりも突出して位置している。
【００１７】
上記本体部１１は、その上側ほど上記Ｈ形鋼梁２から遠ざかるように傾斜形成されている。この例では、上記本体部１１の傾斜は、当該本体部１１のボード取付面の上側延長面が上記Ｌアングル５の水平部に当たらないように設定されている。上記本体部１１のボード取付面には、上記傾斜に沿って石こうボード等のボード３が取り付けられる。このように取り付けられたボード３の上端は、上記Ｌアングル５によって支持される床板６の下面に接することができる。上記ボード３に打ち込まれた釘４等が上記本体部１１を貫通することで上記ボード３が上記本体部１１に固定される。また、上記本体部１１には、上下長手方向にリブ部１１ａが形成されており、上記本体部１１の剛性が高められている。上記リブ部１１ａは、上記ボード取付面の側が凹となり、当該ボード取付面と反対の面の側が凸となっている。
【００１８】
上記上側装着部１２は、一例として、受け板部１２１および押圧バネ片部１２２を備えており、上記ボード取付面と反対の面の側で上記Ｌアングル５の鉛直部を挟み込む。上記受け板部１２１は、上記本体部１１と一体的に形成される。また、上記押圧バネ片部１２２は、略コ字状に曲げ加工されたバネ板からなる。上記押圧バネ片部１２２の基端部１２２ａは上記受け板部１２１に固定されている。上記受け板部１２１には、２本の切り込みが平行に形成されてなる切込係合部１２１ａが形成されており、この切込係合部１２１ａに上記基端部１２２ａが挿通されている。また、上記受け板部１２１の上部には切込凸部１２１ｂが形成されている。そして、上記基端部１２２ａの先端側には、四角形の係止開口が形成されており、この係止開口の縁が上記切込凸部１２１ｂに係止されている。
【００１９】
また、上記押圧バネ片部１２２は、上記Ｌアングル５の鉛直部を挟持するときに動く可動部位１２２ｂを有している。また、上記押圧バネ片部１２２には突起部１２２ｃが切込曲げ加工により形成されている。
【００２０】
同様に、上記下側装着部１３は、受け板部１３１および押圧バネ片部１３２を備えており、上記ボード取付面と反対の面の側で上記下フランジ部２２を挟み込む。上記受け板部１３１は、上記本体部１１と一体的に形成されている。また、上記押圧バネ片部１３２は、略コ字状に曲げ加工されたバネ板からなる。上記押圧バネ片部１３２の基端部１３２ａは上記受け板部１３１に固定されている。上記受け板部１３１には、２本の切り込みが平行に形成されてなる切込係合部１３１ａが形成されており、この切込係合部１３１ａに上記基端部１３２ａが挿通されている。また、上記受け板部１３１の下面には切込凸部１３１ｂが形成されている。そして、上記基端部１３２ａの先端側には、四角形の係止開口が形成されており、この係止開口の縁が上記切込凸部１３１ｂに係止されている。
【００２１】
また、上記押圧バネ片部１３２は、上記下フランジ部２２を挟持するときに動く可動部位１３２ｂを有している。また、上記押圧バネ片部１３２には、上記下フランジ部２２に形成されたボルト挿通孔等の凹部に係合する突起部１３２ｃが切込曲げ加工により形成されている。
【００２２】
上記上側装着部１２および上記下側装着部１３の上記構造は一例に過ぎず、このような構造以外の構造も採用できるものである。
【００２３】
上記ボード取付金物１の上端側は、上記ボード取付面と反対の側に水平に折り返されて上側繋ぎ部１２３となっており、さらに折り返された折り返し部分が上記受け板部１２１となる。これにより、上記ボード取付金物１における上側装着部１２の挟持差し込み方向は、上記Ｌアングル５の鉛直部を下から挟持できるように鉛直上向きとなる。一方、上記ボード取付金物１における下端側はボード取付面と反対の側に水平に折り返されて下側繋ぎ部１３３となっており、下側装着部１３の挟持差し込み方向は、上記Ｈ形鋼梁２の下フランジ部２２の水平部を挟持するべく水平向きとされる。上記上側繋ぎ部１２３の長さは上記下側繋ぎ部１３３よりも長くされている。
【００２４】
また、上記下側繋ぎ部１３３は、当該下側繋ぎ部１３３の下側に配置される下側配置ボード７の表面よりも、突き出ている。なお、上記下側配置ボード７は、当該建物が集合住宅となる場合、隣接する住戸を仕切る界壁をなす。
【００２５】
また、上記Ｌアングル５上に置かれた床板６を留め付ける留め具６１の上記床板６の下面から突出する箇所において上記ボード３の上部が切り欠かれている。なお、本体部１１の傾斜角度を大きくするか或いは上記上側繋ぎ部１２３および上記下側繋ぎ部１３３の水平長さを長くすることで、上記ボード３の上部を切り欠かない構造とすることもできる。
【００２６】
上記の構成であれば、上記本体部１１は上側ほど上記Ｈ形鋼梁２から遠ざかるように傾斜形成されているので、上記本体部１１に沿って斜めに取り付けられるボード３の上側ほど上記Ｈ形鋼梁２から離間することになる。そして、この例では、上記本体部１１の傾斜は、当該本体部１１のボード取付面の上側延長面が上記Ｌアングル５に当たらない方向に設定されている。これにより、上記本体部１１に貼り付ける１枚目のボード３についても上記Ｌアングル５に当たらないようにできる。
【００２７】
なお、上記本体部１１が上記のようには傾斜しておらず、上記本体部１１に貼り付ける１枚目のボード３が上記Ｌアングル５に当たるとしても、この１枚目のボード３に重ねて貼られる２枚目（或いは３枚目）のボード３の上端部を、上記Ｌアングル５に当てずに床板６の下面に当てることが可能である。この場合も、上記ボード３の上端部と上記Ｌアングル５で支持される床板６の下面との間に隙間が生じるのを抑制することができる。
【００２８】
上記下側繋ぎ部１３３が、当該下側繋ぎ部１３３の下側に配置される下側配置ボード７の表面よりも、突き出ていると、上記本体部１１に沿って斜めに取り付けられるボード３の下端が上記本体部１１の下端から下方に出た状態で上記下側配置ボード７の表面に接することになるので、当該下側配置ボード７の上端と上記下側繋ぎ部１３３との境界部が上記斜め配置のボード３の下端側で塞がれることになる。
【００２９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３０】
１        ：ボード取付金物
２        ：Ｈ形鋼梁
３        ：ボード
４        ：釘
５        ：Ｌアングル
６        ：床板
７        ：下側配置ボード（不燃部）
１１      ：本体部
１１ａ    ：リブ部
１２      ：上側装着部
１３      ：下側装着部
２１      ：上フランジ部
２２      ：下フランジ部
６１      ：留め具
１２１    ：受け板部
１２１ａ  ：切込係合部
１２１ｂ  ：切込凸部
１２２    ：押圧バネ片部
１２２ａ  ：基端部
１２２ｂ  ：可動部位
１２２ｃ  ：突起部
１２３    ：上側繋ぎ部
１３１    ：受け板部
１３１ａ  ：切込係合部
１３１ｂ  ：切込凸部
１３２    ：押圧バネ片部
１３２ａ  ：基端部
１３２ｂ  ：可動部位
１３２ｃ  ：突起部
１３３    ：下側繋ぎ部
２０１    ：接合板
【図１】
2019065510.tif 000003
【図２】
2019065510.tif 000004
【図３】
2019065510.tif 000005
【図４】
2019065510.tif 000006